(57)【要約】【課題】  外れたレーザー光を遠隔から光電変換素子の単体素子に正確に照射する構成にしたレーザー光発電装置を提供する。【解決手段】  レーザー光を発生させるレーザー光発生手段と、前記レーザー光発生手段からのレーザー光を光電変換素子で生成される単体に照射させる受光手段と、前記受光手段の前面に前記レーザー光を集光して前記受光手段に照射するように誘導するレーザー光集光手段と、からなるレーザー光発電装置を提供する。【選択図】図１
2016122824.tif 000002
【特許請求の範囲】
【請求項１】
レーザー光を発生させるレーザー光発生手段と、前記レーザー光発生手段からのレーザー光を光電変換素子で生成される単体に照射させる受光手段と、前記受光手段の前面に前記レーザー光を集光して前記受光手段に照射するように誘導するレーザー光集光手段と、からなることを特徴とするレーザー光発電装置。
【請求項２】
前記レーザー光集光手段は、前方の径が広く、後方の径が狭いメガホーン形状であることを特徴とする請求項１に記載のレーザー光発電装置。
【請求項３】
前記メガホーン形状のレーザー光集光手段は、その内面をレーザー光が反射する鏡面形状に形成したことを特徴とする請求項２に記載のレーザー光発電装置。
【請求項４】
前記メガホーン形状のレーザー光集光手段は、受光するレーザー光方向に自動制御する機能を有することを特徴とする請求項２乃至３に記載のレーザー光発電装置。
【請求項５】
前記自動制御する機能は、前記受光手段で受光したレーザー光の励起状態を検知してメガホーン形状のレーザー光集光手段をＸ軸方向或いはＹ軸方向に動かして受光面を自動制御することを特徴とする請求項４に記載のレーザー光発電装置。
【請求項６】
前記メガホーン形状のレーザー光集光手段は、円錐形状のメガホーン形状であることを特徴とする請求項２乃至５に記載のレーザー光発電装置。
【請求項７】
前記メガホーン形状のレーザー光集光手段は、四角錐形状のメガホーン形状であることを特徴とする請求項２乃至５に記載のレーザー光発電装置。
【発明の詳細な説明】
【技術分野】
【０００１】  本発明は、レーザー光発電装置に関し、詳しくはレーザー光線を遠隔に設置した光電変換素子に集光部材を介して正確に照射させることで所定の電力を発生させる効率化を図ったレーザー光発電装置に関する。
【背景技術】
【０００２】  従来技術におけるレーザー光発電装置は、レーザー光を用いて発電する手法として種々のものが存在する。例えば、励起させたレーザー光をファイバーを介して光電変換素子に照射して電力を得る手法が存在する。
【先行技術文献】
【特許文献】
【０００３】
【特許文献１】特開２００８−１３０９２２号公報
【発明の開示】
【発明が解決しようとする課題】
【０００４】  しかしながら、従来技術で説明したものはレーザー光を遠隔から光電変換素子に照射させるというものではなく、あくまでもファイバーを介在させ、ファイバーの端面で光調整を行って光電変換素子に照射するものである。【０００５】  従って、上記問題点を解決するために、レーザー光を遠隔から直接に光電変換素子の単体素子に正確に照射する構成或いはレーザー光を正確に光電素子に伝導する集光部材の構成に解決しなければならない課題を有する。
【課題を解決するための手段】
【０００６】  上記課題を解決するために、本願発明のレーザー光発電装置は、次に示す構成にしたことである。【０００７】（１）レーザー光発電装置は、レーザー光を発生させるレーザー光発生手段と、前記レーザー光発生手段からのレーザー光を光電変換素子で生成される単体に照射させる受光手段と、前記受光手段の前面に前記レーザー光を集光して前記受光手段に照射するように誘導するレーザー光集光手段と、からなることである。
（２）前記レーザー光集光手段は、前方の径が広く、後方の径が狭いメガホーン形状であることを特徴とする（１）に記載のレーザー光発電装置。
（３）前記メガホーン形状のレーザー光集光手段は、その内面をレーザー光が反射する鏡面形状に形成したことを特徴とする（２）に記載のレーザー光発電装置。
（４）前記メガホーン形状のレーザー光集光手段は、受光するレーザー光方向に自動制御する機能を有することを特徴とする（２）乃至（３）に記載のレーザー光発電装置。
（５）前記自動制御する機能は、前記受光手段で受光したレーザー光の励起状態を検知してメガホーン形状のレーザー光集光手段をＸ軸方向或いはＹ軸方向に動かして受光面を自動制御することを特徴とする（４）に記載のレーザー光発電装置。
（６）前記メガホーン形状のレーザー光集光手段は、円錐形状のメガホーン形状であることを特徴とする（２）乃至（５）に記載のレーザー光発電装置。
（７）前記メガホーン形状のレーザー光集光手段は、四角錐形状のメガホーン形状であることを特徴とする（２）乃至（５）に記載のレーザー光発電装置。
【発明の効果】
【０００８】  本発明においては、遠隔からのレーザー光を光電変換素子の単体素子の受光部分に正確に照射させる集光部材を設けたことで、光電変換素子の受光効率を最大限に発揮させることができるという効果がある。
【発明を実施するための最良の形態】
【０００９】  次に、本願発明に係るレーザー光発電装置について図面を参照して説明する。【００１０】  本願発明の第１の実施例のレーザー光発電装置は、図１に示すように、レーザー光を発生させるレーザー光発生手段であるレーザー光発生装置１１と、レーザー光発生装置１１から発射されたレーザー光１４を受信する受光手段である光電変換素子１２と、この受光手段である光電変換素子１２の前面にレーザー光発生装置１１からのレーザー光１４を集光して受光手段の光電変換素子１２に照射するように誘導するレーザー光集光手段１６と、から構成されている。【００１１】  レーザー光発生装置１１は、レーザー光１４を発生させるもので、光電変換素子１２の単体素子１２の数だけのレーザー光１４を発射させることができる構造となっている。【００１２】  光電変換素子１２は、レーザー光１４を受信するための単体素子１３を備え、この単体素子１３は発射されるレーザー光１４の数に応じた数だけ設定されている。
この光電変換素子１２と並列にコンデンサを挿入するとチャージされた出力が増大する。【００１３】  レーザー光集光手段１６は、光電変換素子１２の前面に設け、レーザー光１４が正確に単体素子１３に照射するように反射させるものであり、円錐形状の前方の径が広く、後方の径が狭いメガホーン形状に形成されている。
メガホーン形状に形成されたレーザー光集光手段１６の内面は、レーザー光を効率良く反射させるために鏡面形状に形成されている。この鏡面形状においては、部材がアルミニウムであればアルミ鏡面に、ステンレスであればステンレス鏡面に形成されている。【００１４】  このような構成において、レーザー光発生装置１１から発射されたレーザー光１４は、遠隔に設置されている単体素子１３に照射される。このレーザー光１４の照射方向は単体素子１３の面に当たるように設計されている。
しかし、レーザー光１４の発射方向が単体素子１３から外れている場合には、充分な励起状態を得ることができない。そのため、図１及び図２に示すように、予め、円錐形状でメガホーン形状のレーザー光集光手段１６を配置しておけば、レーザー光１４が外れた位置から発射されてもメガホーン形状の内面で反射されて所望の単体素子１３に照射されることになる。【００１５】  次に、第２の実施例のレーザー光発電装置について説明する。第２の実施例のレーザー光発電装置は、図１及び図３に示すように、レーザー光１４を発生させるレーザー光発生装置１１と、レーザー光発生装置１１から発射されたレーザー光１４を受信する光電変換素子１２と、光電変換素子１２の前面に設けたレーザー光集光手段１６Ａとからなる。【００１６】  レーザー光発生装置１１は、第１の実施例のレーザー光発生装置と同じく、レーザー光１４を発生させるもので、光電変換素子１２の単体素子１３の数だけのレーザー光１４を発射させることができる構造となっている。【００１７】  光電変換素子１２は、第１の実施例の光電変換素子と同じく、レーザー光１４を受信するための単体素子１３を備え、この単体素子１３は発射されるレーザー光１４の数に応じた数だけ設定されている。【００１８】  レーザー光集光手段１６Ａは、第１の実施例のレーザー光発生装置と同じく、光電変換素子１２の前面に設け、レーザー光１４が正確に単体素子１３に照射するように反射させるものであり、四角錐形状の前方の径が広く、後方の径が狭いメガホーン形状に形成されている。
四角錐形状のメガホーン形状に形成されたレーザー光集光手段１６Ａの内面は、レーザー光１４を効率良く反射させるために鏡面形状に形成されている。この鏡面形状においては、部材がアルミニウムであればアルミ鏡面に、ステンレスであればステンレス鏡面に形成されている。【００１９】  このような構成において、レーザー光発生装置１１から発射されたレーザー光１４は、遠隔に設置されている単体素子１３に照射される。このレーザー光１４の照射方向は単体素子１３の面に当たるように設計されている。
しかし、レーザー光１４の発射方向が単体素子１３から外れている場合には、充分な励起状態を得ることができない。そのため、図１及び図３に示すように、予め、四角錐形状でメガホーン形状のレーザー光集光手段１６Ａを配置しておけば、レーザー光１４が外れた位置から発射されてもメガホーン形状の内面で反射されて所望の単体素子１３に照射されることになる。【００２０】  次に、第３の実施例のレーザー光発電装置について説明する。第３の実施例のレーザー光発電装置は、図１、図２及び図３に示すように、メガホーン形状のレーザー光集光手段１６（１６Ａ）は、受光するレーザー光１４方向に自動制御する機能、詳しくは、光電変換素子（受光手段）１３で受光したレーザー光１４の励起状態を検知してメガホーン形状のレーザー光集光手段１６（１６Ａ）をＸ軸方向或いはＹ軸方向に動かす駆動軸制御部１８ａ、１８ｂ、１９ａ、１９ｂを備え、レーザー光１４の受光面を適切な方向に自動制御する機能を有するようにしたことである。
光電変換素子１２で検知された励起電圧或いは励起電流を検出して、その検出値が最大になるように駆動軸制御部１８ａ、１８ｂ、１９ａ、１９ｂを駆動させてメガホーン自体をＸ軸方向或いは又はＹ軸方向に動かすことによりレーザー光１４を最適な位置関係で反射させることができるというものである。【００２１】  尚、上記示した実施例においては、円錐形状或いは四角錐形状のメガホーン形状で説明したがこれに限定されることなく、例えば多角形の錐体形状のメガホーン形状でもよく、受光する光電変換素子の形状は四角形状でも円形状でもよい。
【産業上の利用可能性】
【００２２】  外れたレーザー光を光電変換素子の単体素子に正確に照射するメガホーン形状のレーザー光集光手段を備えたレーザー光発電装置を提供する。
【図面の簡単な説明】
【００２３】
【図１】  本願発明の実施例のレーザー光発電装置を示す説明図である。
【図２】  同、第１の実施例のレーザー光発電装置のうちレーザー光集光手段の円錐形状のメガホーン形状を示す説明図である。
【図３】  同、第２の実施例のレーザー光発電装置のうちレーザー光集光手段の四角錐形状のメガホーン形状を示す説明図である。
【符号の説明】
【００２４】１１      レーザー光発生装置
１２      光電変換素子
１３      単体素子
１４      レーザー光
１６      レーザー光集光手段
１６Ａ    レーザー光集光手段
１８ａ    駆動軸制御部
１８ｂ    駆動軸制御部
１９ａ    駆動軸制御部
１９ｂ    駆動軸制御部
【図１】
2016122824.tif 000003
【図２】
2016122824.tif 000004
【図３】
2016122824.tif 000005